(57)【要約】【課題】  手で自在に曲げることができ、かつ、切開した部分を広げた状態にすることができる医療器具を提供する。【解決手段】  医療器具１は、手で曲がる金属材料で構成され、少なくとも一部が、生体の拍動により振動する程度の厚さに形成されたヘラ部１０と、手で曲がる金属材料で構成され、生体の弾性力に耐えることができる程度の太さに形成された棒状のアーム部１２とを有し、ヘラ部１０は、アーム部１２の端部に接続されている。これにより、同一の金属材料であっても、厚みと形状によって、ヘラ部１０に弾性体としての機能を与え、アーム部１２に手で自在に曲げることができ、かつ、生体の弾性に耐えるという機能を与えることができる。また、同一の金属材料でヘラ部１０及びアーム部１２を構成することにより、加熱・冷却しても膨張率が同じであるため破損しにくい。【選択図】図１
2017074120.tif 000002
【特許請求の範囲】
【請求項１】
手で曲がる金属材料で構成され、少なくとも一部が、生体の拍動により振動する程度の厚さに形成されたヘラ部と、  
前記金属材料で構成され、生体の弾性力に耐えることができる程度の太さに形成された棒状のアーム部と
を有し、
前記ヘラ部は、前記アーム部の端部に接続されている
医療器具。
【請求項２】
前記金属材料は、純度９７ｗｔ％以上の錫であり、
前記ヘラ部は、均一な厚みで、かつ、木葉形状の板状部材であり、
前記ヘラ部の先端は、２．５ｍｍ以上７．５ｍｍ以下の幅で形成され、
前記ヘラ部の最も幅が広い幅広部は、前記アーム部の径よりも広い
請求項１に記載の医療器具。
【請求項３】
前記アーム部を脳ベラ固定器に固定するための固定部
をさらに有し、
前記固定部は、前記金属材料で構成され、多角形断面を有する基部と、前記基部の端面から延びる２本の足部とを含み、
前記アーム部は、前記基部よりも細い円柱形状である
請求項１に記載の医療器具。
【請求項４】
ヘラ部と、
前記ヘラ部の端部に接続されたアーム部と、
前記アーム部の端部に設けられた固定部と
を有し、
前記ヘラ部、前記アーム部、及び前記固定部が、純度９７ｗｔ％以上の錫と、０．２ｗｔ％以上０．５ｗｔ％以下の銀とを含む合金により一体に形成されている
医療器具。
【請求項５】
アーム部が一体的に形成された脳ベラと、
前記脳ベラを固定する脳ベラ固定器と
を備え、
前記脳ベラは、純度９７ｗｔ％以上の錫と、０．２ｗｔ％以上０．５ｗｔ％以下の銀とを含む合金により形成されている
手術器具。
【発明の詳細な説明】
【技術分野】
【０００１】
本発明は、医療器具及び手術器具に関するものである。
【背景技術】
【０００２】
例えば、特許文献１には  純度９７．００ｗｔ％〜９９．９９ｗｔ％の錫で形成したことを特徴とする医療器具が開示されている。
【先行技術文献】
【特許文献】
【０００３】
【特許文献１】特開２０１３−９０８５６号公報
【発明の概要】
【発明が解決しようとする課題】
【０００４】
本発明は、手で自在に曲げることができ、かつ、切開した部分を広げた状態にすることができる医療器具を提供することを目的とする。
【課題を解決するための手段】
【０００５】
本発明に係る医療器具は、手で曲がる金属材料で構成され、少なくとも一部が、生体の拍動により振動する程度の厚さに形成されたヘラ部と、前記金属材料で構成され、生体の弾性力に耐えることができる程度の太さに形成された棒状のアーム部とを有し、前記ヘラ部は、前記アーム部の端部に接続されている。
これにより、同一の金属材料であっても、厚みと形状によって、ヘラ部に弾性体としての機能を与え、アーム部に、手で自在に曲げることができ、かつ、生体の弾性に耐えるという機能を与えることができる。同一の金属材料でヘラ部及びアーム部を構成することにより、加熱・冷却しても膨張率が同じであるため破損しにくい。
【０００６】
好適には、前記金属材料は、純度９７ｗｔ％以上の錫であり、前記ヘラ部は、均一な厚みで、かつ、木葉形状の板状部材であり、前記ヘラ部の先端は、２．５ｍｍ以上７．５ｍｍ以下の幅で形成され、前記ヘラ部の最も幅が広い幅広部は、前記アーム部の径よりも広い。
錫で構成することにより、手で曲がる硬さを実現すると共に、可視光下での光触媒反応によって殺菌又は滅菌の効果が期待できる。また、ヘラ部の各領域は、厚みを均一にして、幅の広さによって、脳手術に適した硬さに調整されている。ヘラ部の幅広部は、生体の一部を引っ張る部分であり、広く幅によって生体に対する圧力を分散させている。
【０００７】
好適には、前記アーム部を脳ベラ固定器に固定するための固定部をさらに有し、前記固定部は、前記金属材料で構成され、多角形断面を有する基部と、前記基部の端面から延びる２本の足部とを含み、前記アーム部は、前記基部よりも細い円柱形状である。
固定部も同一の金属材料で構成すると共に、アーム部よりも変形しにくい基部形状と、２本足による強い固定性とを実現している。
【０００８】
本発明に係る医療器具は、ヘラ部と、前記ヘラ部の端部に接続されたアーム部と、前記アーム部の端部に設けられた固定部とを有し、前記ヘラ部、前記アーム部、及び前記固定部が、純度９７ｗｔ％以上の錫と、０．２ｗｔ％以上０．５ｗｔ％以下の銀とを含む合金により一体に形成されている。
銀を高純度の錫に混ぜて、生体に用いる医療器具に適した硬さに調整した。
【０００９】
本発明に係る手術器具は、アーム部が一体的に形成された脳ベラと、前記脳ベラを固定する脳ベラ固定器とを備え、前記脳ベラは、純度９７ｗｔ％以上の錫と、０．２ｗｔ％以上０．５ｗｔ％以下の銀とを含む合金により形成されている。
アーム部が一体的に形成された脳ベラであるため、脳ベラ固定器から外して、殺菌又は滅菌の処理を容易に行うことができる。
【発明の効果】
【００１０】
本発明によれば、手で自在に曲げることができ、かつ、切開した部分を広げた状態にすることができる。
【図面の簡単な説明】
【００１１】
【図１】脳ベラ１を例示する斜視図である。
【図２】図１に例示する脳ベラ１の平面図及び側面図を例示する図である。
【図３】図２に例示する脳ベラ１におけるＡ部を例示する拡大図である。
【図４】手術器具２０の使用形態を例示する図である。
【図５】脳ベラ１を変形させた状態を例示する図である。
【図６】図４に例示する手術器具２０におけるＢ部を説明する模式図である
【発明を実施するための形態】
【００１２】
以下、本発明に係る実施形態の構成を、図面を参照して説明する。ただし、本発明の範囲は、図示例に限定されるものではない。
【００１３】
本実施形態に係る脳ベラ１の構成を説明する。
図１は、脳ベラ１を例示する斜視図である。
図１に示すように、脳ベラ１は、ヘラ部１０、アーム部１２、及び、固定部１６を含み構成されている。脳ベラ１は、ヘラ部１０、アーム部１２、及び、固定部１６が一体的に形成されている。
また、脳ベラ１は、金属材料で構成されており、具体的には、手で曲がる硬さを備える金属材料で構成されている。脳ベラ１は、手で曲がる硬さを備える金属材料として、例えば、錫を含む金属材料で構成されており、具体的には、錫と銀とを含む合金で構成されている。さらに具体的には、脳ベラ１は、純度９７ｗｔ％以上である高純度の錫と、０．２ｗｔ％以上０．５ｗｔ％以下の銀とを含む合金で構成されて、より好ましくは、純度９７ｗｔ％以上の錫と、０．３ｗｔ％の銀とを含む合金で構成される。
本例の脳ベラ１は、純度９７ｗｔ％以上の錫と、０．３ｗｔ％の銀とを含む合金で構成されている。脳ベラ１は、純度９７ｗｔ％以上の錫に０．３ｗｔ％の銀を添加し合金とすることにより、錫のみの場合に比べて硬度を向上させることができ、手で曲がる程度の硬さを備えることができる。
なお、脳ベラ１は、銀の含有量を０．３ｗｔ％未満とすることにより、手で曲げることができるが、生体組織を保持できず、生体の拍動や弾性力に耐えることのできない硬さとなる。また、銀の含有量を０．３ｗｔ％より多く含むことにより、生体組織を保持でき、生体の拍動や弾性力に耐える硬さとなるが、手で曲げることが困難となる可能性がある。
脳ベラ１は、本発明に係る医療器具の一例であり、例えば、開創器における開創鉤としても使用することができる。
【００１４】
図２は、図１に例示する脳ベラ１の平面図及び側面図を例示する図である。図２（Ａ）は、脳ベラ１の平面図であり、図２（Ｂ）は、脳ベラ１の側面図である。
（ヘラ部１０）
図２に例示するように、ヘラ部１０は、木葉形状（言い換えると略ひし形形状）に形成された板状部材である。ヘラ部１０は、幅広部１０ｂの幅寸法より先端部１０ａの幅寸法が小さく形成され、また、幅広部１０ｂの幅寸法より基端部１０ｃの幅寸法が小さく形成されている。つまり、ヘラ部１０における幅広部１０ｂが最も幅が広い幅広部分である。
また、ヘラ部１０は、少なくとも一部が、生体の拍動により振動する程度の厚さに形成されている。ヘラ部１０は、生体の拍動により振動する程度の厚さに形成されることにより、拍動する脳と共に振動し、かつ、生体の弾性力に耐え生体組織を保持することができる。ヘラ部１０は、生体の拍動により振動する程度の厚さとして均一な厚みに形成されており、本例のヘラ部１０は、先端部１０ａから幅広部１０ｂの厚み寸法が１ｍｍ〜２ｍｍの厚さに略均一な厚さに形成されている。また、幅広部１０ｂから基端部１０ｃの厚み寸法が２ｍｍ〜６ｍｍに形成されており、ここはアーム部１２との接続部分となる。また、ヘラ部１０の長さ寸法は、１３５ｍｍ〜１４５ｍｍであり、具体的には、長さ寸法が１４０ｍｍである。ヘラ部１０の先端部１０ａから幅広部１０ｂ長さ寸法は、８５ｍｍ〜９５ｍｍであり、具体的には、先端部１０ａから幅広部１０ｂ長さ寸法が９０ｍｍである。また、幅広部１０ｂから基端部１０ｃの長さ寸法は、４５ｍｍ〜５５ｍｍであり、具体的には、幅広部１０ｂから基端部１０ｃの長さ寸法が５０ｍｍである。
また、ヘラ部１０は、アーム部１２の端部にヘラ部１０における基端部１０ｃが接続されている。ヘラ部１０は、最も幅が広い幅広部分である幅広部１０ｂがアーム部１２の径よりも広く形成されている。
このように、ヘラ部１０は、先端部１０ａから幅広部１０ｂの厚み寸法が１ｍｍ〜２ｍｍの厚さに略均一な厚さに形成され、先端部１０ａから幅広部１０ｂの幅寸法を変えることにより、ヘラ部１０の硬さを調節することができる。
【００１５】
図３は、図２に例示する脳ベラ１におけるＡ部を例示する拡大図である。
図３に例示するように、ヘラ部１０における先端部１０ａの幅寸法Ｗは、２．５ｍｍ以上７．５ｍｍ以下の幅で形成されている。先端部１０ａの幅寸法Ｗは、例えば、７ｍｍ、５ｍｍ、及び、３ｍｍの３種類の幅がある。先端部１０ａの幅寸法Ｗが７ｍｍである場合、先端部１０における半径寸法Ｒは、４.０ｍｍ以上３．０ｍｍ以下であり、好ましくは、３．５ｍｍである。また、先端部１０ａの幅寸法Ｗが５ｍｍである場合、先端部１０における半径寸法Ｒは、３.０ｍｍ以上２．０ｍｍ以下であり、好ましくは、２．５ｍｍである。また、先端部１０ａの幅寸法Ｗが３ｍｍである場合、先端部１０における半径寸法Ｒは、１.０ｍｍ以上２．０ｍｍ以下であり、好ましくは、１．５ｍｍである。
このように、脳ベラ１におけるヘラ部１０の先端幅と先端形状とを変えることにより、用途に合わせて使い分けることができる。
【００１６】
（アーム部１２）
図２に例示するように、アーム部１２は、棒状であり、一方の端部にヘラ部１０が接続され、他方の端部に固定部１６が接続され、一体的に連続して形成されている。アーム部１２は、円柱形状をした棒状であり、固定部１６における基部１７、及び、ヘラ部１０における幅広部１０ｂよりも細く形成されている。
また、アーム部１２は、生体の弾性力に耐えることができる程度の太さに形成されている。アーム部１２は、生体の弾性力に耐えることができる程度の太さに形成されることにより、手で曲げることができ、かつ、生体組織を保持することができる。
なお、本例のアーム部１２の直径寸法は、５．５ｍｍ以上７．０ｍｍ以下であり、好ましくは、直径寸法が６．０ｍｍ以上６．５ｍｍ以下である。また、アーム部１２の長さ寸法は、１２５ｍｍ〜１３５ｍｍであり、具体的には、アーム部１２の長さ寸法が１３０ｍｍである。
【００１７】
（固定部１６）
図２に例示するように、固定部１６は、ヘラ部１０とアーム部１２とを脳ベラ固定器２６（後述）に固定するための固定部分である。固定部１６は、基部１７と足部１８とを含み構成されている。
基部１７は、多角形断面を有する固定部１６における土台である。基部１７は、多角形断面として四角形状の断面を有し、アーム部１２の端部に接続され、一体的に形成されている。また、基部１７は、アーム部１２より太く形成されているため、アーム部１２より変形しにくい。これにより、固定部１６は、脳ベラ固定器２６に脳ベラ１を固定した状態でアーム部１２を曲げても、脳ベラ固定器１６から外れないよう脳ベラ１を固定することができる。
本例の基部１７は、断面形状が四角形状の直方体であり、縦寸法と横寸法とが１０ｍｍ〜１５ｍｍであり、長さ寸法が２５ｍｍ〜３５ｍｍである。
足部１８は、基部１７の端面から延びる２本の棒体である。足部１８は、基部１７と一体的に形成されており、ヘラ部１０の幅方向に並列して形成されている。足部１８は、脳ベラ固定器２６に挟持され固定される。
本例の足部１８の厚さ寸法は、１ｍｍ〜３ｍｍであり、具体的には、厚さ寸法が２ｍｍである。また、足部１８の長さ寸法は、４５ｍｍ〜５５ｍｍであり、具体的には、長さ寸法が５０ｍｍである。
【００１８】
このように、脳ベラ１は、全体が高純度（９７ｗｔ％以上）の錫からなり、ヘラ部１０、アーム部１２、及び、固定部１６が一体的に形成されている。脳ベラ１は、ヘラ部１０、アーム部１２、及び、固定部１６が一体的に形成されていることにより、加熱・冷却しても膨張率が同じであるため破損しにくく、さらに、つなぎ目が無いため、滅菌又は滅菌の処理を容易に行うことができる。
また、脳ベラ１は、高純度の錫に銀を混ぜることにより、生体に用いる医療器具に適した硬さに調整することができる。
また、脳ベラ１は、高純度の錫で形成されているため、可視光下での光触媒反応によって殺菌又は滅菌の効果が期待できる。
【００１９】
次に、手術器具２０における構成を説明する。
図４は、手術器具２０の使用形態を例示する図である。図４（Ａ）は、手術器具２０の使用形態を例示する正面図であり、図４（Ｂ）は、手術器具２０の使用形態を例示する平面図である。
図４に例示するように、手術器具２０は、頭蓋骨固定器２３、脳ベラ固定器２６、及び、脳ベラ１を含み構成されている。手術器具２０は、頭蓋骨固定器２３に脳ベラ固定器２６を固定し、固定された脳ベラ固定器２６に脳ベラ１を固定している。
（頭蓋骨固定器２３）
頭蓋骨固定器２３は、患者の頭部を固定するための固定器具である。頭蓋骨固定器２３は、頭部の両側に固定用アームが配置されており、配置された固定用アームにより頭部の両側を固定する。また、頭蓋骨固定器２３は、頭部の背面側を支持する。
（脳ベラ固定器２６）
脳ベラ固定器２６は、頭蓋骨固定器２３における固定用アームにスライド自在に配置され、任意の位置で固定することができる。また、脳ベラ固定器２６は、脳ベラ１を固定する固定手段を備え、この固定手段で脳ベラ１を固定する。本例での  脳ベラ固定器３は、固定手段としてねじ締めにより脳ベラ１を固定する。
（脳ベラ１）
脳ベラ１は、ヘラ部１０、アーム部１２、及び、固定部１６（基部１７及び足部１８）を含み、これらが一体的に形成されている。脳ベラ１は、固定部１６における足部１８を脳ベラ固定器２６の固定手段によりねじ締め固定される。脳ベラ１は、高純度の錫と銀との合金で構成されているため、固定部１６を固定された状態であっても、ヘラ部１０とアーム部１２とを手で自在に曲げることができる。
このように、手術器具２０は、頭蓋骨固定器２３、脳ベラ固定器２６、及び、脳ベラ１を含み構成されている。
【００２０】
次に、手術器具２０の作用を説明する。
図４に例示するように、患者は、仰臥位で手術台に配置されており、頭部の前頭部分を切開し開頭されている。手術器具２０は、開頭された近傍の生体組織を広げた状態で保持する。
【００２１】
使用者は、患者の頭部を開頭し、術野を確保する。使用者は、脳ベラ１におけるヘラ部１０を開頭した領域に配置するために、アーム部１２を手で曲げる。脳ベラ１は、全体が高純度（９７ｗｔ％以上）の錫と銀との合金で形成されているため、使用者は、アーム部１２を手で自在に曲げることができる。
脳ベラ１は、固定部１６における直方体形状に形成された基部１７の太さに比べて、円柱状に形成されたアーム部１２の直径が細く形成されている。つまり、脳ベラ１は、基部１７とアーム部１２との形状と厚みとが異なるよう形成されている。そのため、基部１７は、アーム部１２よりも変形しにくく、足部１８の固定性を向上させる。よって、脳ベラ１は、アーム部１２を手で曲げても、それに伴って固定部１６が変形することはない。
【００２２】
図５は、脳ベラ１を変形させた状態を例示する図である。
図６は、図４に例示する手術器具２０におけるＢ部を説明する模式図である
図４、及び、図５に例示するように、使用者は、開頭した領域における右脳と左脳との間にヘラ部１０を手で曲げて自在に変形させ配置する。具体的には、図６に例示するように、使用者は、ヘラ部１０における先端部１０ａから幅広部１０ｂを変形させる。脳ベラ１は、ヘラ部１０における幅広部１０ｂ近傍で折り曲げて配置される。脳ベラ１は、幅の広さによって、脳手術に適した硬さに調整されており、ヘラ部１０の幅広部１０ｂは、先端部１０ａや基端部１０ｃより幅広に形成されている。脳ベラ１は、幅広に形成された幅広部１０ｂで生体組織の一部である脳を引っ張ることにより、生体に対する引張力を分散させ、生体組織にかかる負担を軽減する。また、脳ベラ１は、先端部１０ａから幅広部１０ｂの厚さが略均一であり、生体の拍動により振動する程度の厚さに形成されることにより、拍動する脳と共に振動し、かつ、生体の弾性力に耐え生体組織を保持することができる。
【００２３】
使用者は、処置後、開頭した領域から脳ベラ１を取り外して閉頭する。使用者は、閉頭した後に、脳ベラ１を脳ベラ固定器２６から取り外し、殺菌又は滅菌の処理を行う。
脳ベラは、純度９７ｗｔ％以上の錫と、０．２ｗｔ％以上０．５ｗｔ％以下の銀とを含む合金でヘラ部１０、アーム部１２、及び、固定部１６（基部１７及び足部１８）を一体的に形成されている。本例の脳ベラ１は、各部位の接続部分がなく、とくに、ヘラ部１０とアーム部１２とが一体的に形成されているため、脳ベラ固定器２６から外して、殺菌又は滅菌の処理を容易に行うことができる。
このように、使用者は、手術器具２０を用いて術野を確保することができる。
【００２４】
以上説明したように、本実施形態に係る脳ベラ１は、手で曲がる金属材料で構成され、少なくとも一部が、生体の拍動により振動する程度の厚さに形成されたヘラ部１０と、前記金属材料で構成され、生体の弾性力に耐えることができる程度の太さに形成された棒状のアーム部１２とを含んで構成され、ヘラ部１０は、前記アーム部の端部に接続されている。これにより、脳ベラ１は、同一の金属材料であっても、ヘラ部１０とアーム部１２とにおける厚みと形状とを変えることによって、ヘラ部１０に弾性体としての機能を与え、アーム部１２に手で自在に曲げることができ、かつ、生体の弾性に耐えるという機能を与えることができる。また、脳ベラ１は、同一の金属材料でヘラ部１０及びアーム部１２を構成することにより、加熱・冷却しても膨張率が同じであるため破損しにくい。
【００２５】
また、脳ベラ１は、純度９７ｗｔ％以上の錫で構成されている。これにより、脳ベラ１は、高純度の錫で構成することにより、手で曲がる硬さを実現すると共に、可視光下での光触媒反応によって殺菌又は滅菌の効果が期待できる。
また、脳ベラ１は、ベラ部１０を均一な厚みで、かつ、木葉形状の板状部材に形成し、ヘラ部１０の先端部１０ａを２．５ｍｍ以上７．５ｍｍ以下の幅で形成する。また、ヘラ部１０の最も幅が広い幅広部である幅広部１０ｂは、アーム部１２の径よりも広く形成されている。これにより、脳ベラ１は、ヘラ部１０の各領域は、厚みを均一にして、幅の広さによって脳手術に適した硬さに調整することができる。また、脳ベラ１は、ヘラ部１０の幅広部である幅広部１０ｂは、生体の一部を引っ張る部分であり、広い幅に形成されることによって生体に対する圧力を分散させることができる。
【００２６】
また、脳ベラ１は、アーム部１２を脳ベラ固定器３６に固定するための固定部１６をさらに含み構成されている。固定部１６は、純度９７ｗｔ％以上の錫の金属材料で構成され、多角形断面を有する基部１７と、基部１７の端面から延びる２本の足部１８とを含んでいる。また、アーム部１２は、基部１７よりも細い円柱形状に形成されている。これにより、脳ベラ１は、固定部１６も同一の金属材料で構成すると共に、アーム部１２よりも変形しにくい基部形状と、２本足による強い固定性とを実現することができる。
【００２７】
また、脳ベラ１は、ヘラ部１０、ヘラ部１０の端部に接続されたアーム部１２と、アーム部１２の端部に設けられた固定部１６とを同一の金属である純度９７ｗｔ％以上の錫と、０．２ｗｔ％以上０．５ｗｔ％以下の銀とを含む合金で一体に形成されている。これにより、脳ベラ１は、銀を高純度の錫に混ぜて、生体に用いる医療器具に適した硬さに調整することができる。また、脳ベラ１は、一体的に形成された脳ベラであるため、脳ベラ固定器２６から外して、殺菌又は滅菌の処理を容易に行うことができる。
以上、本発明に係る実施形態について説明したが、これらに限定されるものではなく、発明の趣旨を逸脱しない範囲内において、種々の変更、追加等が可能である。
【符号の説明】
【００２８】
１        脳ベラ
１０      ヘラ部
１０ａ    先端部
１０ｂ    幅広部
１０ｃ    基端部
１２      アーム部
１６      固定部
１７      基部
１８      足部
２０      手術器具
２３      頭蓋骨固定器
２６      脳ベラ固定器
【図１】
2017074120.tif 000003
【図２】
2017074120.tif 000004
【図３】
2017074120.tif 000005
【図４】
2017074120.tif 000006
【図５】
2017074120.tif 000007
【図６】
2017074120.tif 000008